(57)【要約】      （修正有）【課題】目の不自由な人であっても、厨子扉の開閉状態を容易に把握することが可能な自動開閉扉式仏壇を提供する。【解決手段】前面に厨子扉が設けられている厨子を備える仏壇本体と、厨子扉を開閉する扉開閉装置１２と、扉開閉装置による厨子扉の開閉動作が始まると音楽を再生し、開閉動作が完了すると音楽の再生を停止する音楽再生装置１４とを備える。扉開閉装置は、モーター３６と、開側又は閉側にオンすることでモーターの回転方向を切り替えて厨子扉を開閉する開閉スイッチ４２と、厨子扉の開閉が完了するとモーターの回転を停止させるリミットスイッチ４０とを備える。音楽再生装置は、開閉スイッチとリミットスイッチの作動に応じて音楽の再生を制御する制御部５０を備える。【選択図】図３
0003218647.tif 000002
【実用新案登録請求の範囲】
【請求項１】
その前面に厨子扉が設けられている厨子を備える仏壇本体と、前記厨子扉を開閉する扉開閉装置とを備える自動開閉扉式仏壇に取り付けて使用され、
前記扉開閉装置による前記厨子扉の開動作或いは閉動作が始まると音楽を再生し、前記厨子扉の開動作或いは閉動作が完了すると音楽の再生を停止することを特徴とする音楽再生装置。
【請求項２】
その前面に厨子扉が設けられている厨子を備える仏壇本体および
左右一対の歯車と、前記歯車間に懸架された駆動ベルトと、一端側が前記駆動ベルトに取り付けられ、他端側が前記厨子扉の戸先側に取り付けられたアームと、前記一方の歯車を回転させるモーターと、開側或いは閉側にオンすることにより前記モーターの回転方向を切り替えて前記厨子扉を開閉する開閉スイッチと、前記厨子扉の開動作が完了すると前記モーターの回転を停止させる開側リミットスイッチおよび前記厨子扉の閉動作が完了すると前記モーターの回転を停止させる閉側リミットスイッチとを備える扉開閉装置を備える自動開閉扉式仏壇に取り付けて使用される音楽再生装置であって、
前記開閉スイッチを開側或いは閉側にオンしたときに音楽をデジタル出力し、前記開側リミットスイッチ或いは前記閉側リミットスイッチが作動すると音楽のデジタル出力を停止する制御部と、前記制御部からデジタル出力された音楽をアナログ変換するＤ／Ａコンバータと、前記Ｄ／Ａコンバータにてアナログ変換された音楽を増幅するアンプと、前記アンプで増幅された音楽を再生するスピーカーとを有することを特徴とする音楽再生装置。
【請求項３】
その前面に厨子扉が設けられている厨子を備える仏壇本体と、
前記厨子扉を開閉する扉開閉装置と、
前記扉開閉装置による前記厨子扉の開動作或いは閉動作が始まると音楽を再生し、前記厨子扉の開動作或いは閉動作が完了すると音楽の再生を停止する音楽再生装置とを備えることを特徴とする自動開閉扉式仏壇。
【請求項４】
その前面に厨子扉が設けられている厨子を備える仏壇本体、
左右一対の歯車と、前記歯車間に懸架された駆動ベルトと、一端側が前記駆動ベルトに取り付けられ、他端側が前記厨子扉の戸先側に取り付けられたアームと、前記一方の歯車を回転させるモーターと、開側或いは閉側にオンすることにより前記モーターの回転方向を切り替えて前記厨子扉を開閉する開閉スイッチと、前記厨子扉の開動作が完了すると前記モーターの回転を停止させる開側リミットスイッチおよび前記厨子扉の閉動作が完了すると前記モーターの回転を停止させる閉側リミットスイッチとを備える扉開閉装置、および
前記開閉スイッチを開側或いは閉側にオンしたときに音楽をデジタル出力し、前記開側リミットスイッチ或いは前記閉側リミットスイッチが作動すると音楽のデジタル出力を停止する制御部と、前記制御部からデジタル出力された音楽をアナログ変換するＤ／Ａコンバータと、前記Ｄ／Ａコンバータにてアナログ変換された音楽を増幅するアンプと、前記アンプで増幅された音楽を再生するスピーカーとを有する音楽再生装置を備えることを特徴とする自動開閉扉式仏壇。
【考案の詳細な説明】
【技術分野】
【０００１】
本考案は、自動開閉扉を有する仏壇に取り付けて使用される音楽再生装置ならびにこれを用いた自動開閉扉式仏壇に関する。
【背景技術】
【０００２】
仏壇には、仏像、本尊、経典或いは位牌などを安置するための厨子が据えられている。この厨子の正面には、両開きの厨子扉が取り付けられているが、厨子扉の開け閉めをどのようにするかは宗派や地域の風習により異なる。たとえば、開けたままにするところもあれば、朝開けて夜閉めるところもあるし、勤行のたびに開け閉めするところもあり、様々である。
【０００３】
ところで、仏壇には、仏飯器、茶湯器、花瓶或いは燭台などといった仏具が飾られるのが一般的であり、厨子扉の開閉作業は、これら仏具に手が触れて倒してしまうようなことがないよう注意を払いつつ行われる。場合によっては、仏具を他の場所に一時的に移動させ、扉を開いた後（或いは閉じた後）に元の位置に戻すといったことを行う必要もあり、大変煩わしい。
【０００４】
そこで、厨子扉の開閉操作を電動で行えるようにした自動開閉扉式の仏壇が開発され、今日では広く利用されている（特許文献１参照）。
【先行技術文献】
【特許文献】
【０００５】
【特許文献１】登録実用新案第３１３７６５７号公報（図１）
【考案の概要】
【考案が解決しようとする課題】
【０００６】
自動開閉扉式の仏壇では、厨子扉の開閉操作をボタン１つで行うことができるため大変便利である。しかしながら、目の不自由な人にとっては自動開閉であると厨子扉の開閉状態を把握することができないため、経やお題目を唱え始めるタイミングが掴みにくいという問題があった。
【０００７】
本考案の目的は、かかる従来の問題点を解消すべくなされたもので、目の不自由な人でも厨子扉の開閉状態を容易に把握することが可能な自動開閉扉式仏壇用の音楽再生装置およびこれを用いた自動開閉扉式仏壇を提供することにある。
【課題を解決するための手段】
【０００８】
請求項１に記載した考案は、「その前面に厨子扉２６が設けられている厨子２４を備える仏壇本体１８と、厨子扉２６を開閉する扉開閉装置１４とを備える自動開閉扉式仏壇に取り付けて使用され、
扉開閉装置１４による厨子扉２６の開動作或いは閉動作が始まると音楽を再生し、厨子扉２６の開動作或いは閉動作が完了すると音楽の再生を停止する」ことを特徴とする音楽再生装置１６である。
【０００９】
請求項２に記載した考案は、請求項１に記載した音楽再生装置１６の具体例で、「その前面に厨子扉２６が設けられている厨子２４を備える仏壇本体１８および
左右一対の歯車３２（３２ａ，３２ｂ）と、歯車３２（３２ａ，３２ｂ）間に懸架された駆動ベルト３４と、一端側が駆動ベルト３４に取り付けられ、他端側が厨子扉２６の戸先側に取り付けられたアーム３８と、一方の歯車３２ａを回転させるモーター３６と、開側或いは閉側にオンすることによりモーター３６の回転方向を切り替えて厨子扉２６を開閉する開閉スイッチ４２と、厨子扉２６の開動作が完了するとモーター３６の回転を停止させる開側リミットスイッチ４０ａおよび厨子扉２６の閉動作が完了するとモーター３６の回転を停止させる閉側リミットスイッチ４０ｂとを備える扉開閉装置１４を備える自動開閉扉式仏壇に取り付けて使用される音楽再生装置１６であって、
開閉スイッチ４２を開側或いは閉側にオンしたときに音楽をデジタル出力し、開側リミットスイッチ４０ａ或いは閉側リミットスイッチ４０ｂが作動すると音楽のデジタル出力を停止する制御部５０と、制御部５０からデジタル出力された音楽をアナログ変換するＤ／Ａコンバータ５２と、Ｄ／Ａコンバータ５２にてアナログ変換された音楽を増幅するアンプ５４と、アンプ５４で増幅された音楽を再生するスピーカー５６とを有する」ことを特徴とする音楽再生装置１６である。
【００１０】
請求項３に記載した考案は、「その前面に厨子扉２６が設けられている厨子２４を備える仏壇本体１８と、厨子扉２６を開閉する扉開閉装置１４と、扉開閉装置１４による厨子扉２６の開動作或いは閉動作が始まると音楽を再生し、厨子扉２６の開動作或いは閉動作が完了すると音楽の再生を停止する音楽再生装置１６とを備える」ことを特徴とする自動開閉扉式仏壇１０である。
【００１１】
請求項４に記載した考案は、請求項３に記載した考案の具体例で、「その前面に厨子扉２６が設けられている厨子２４を備える仏壇本体１８、
左右一対の歯車３２（３２ａ，３２ｂ）と、歯車３２（３２ａ，３２ｂ）間に懸架された駆動ベルト３４と、一端側が駆動ベルト３４に取り付けられ、他端側が厨子扉２６の戸先側に取り付けられたアーム３８と、一方の歯車３２ａを回転させるモーター３６と、開側或いは閉側にオンすることによりモーター３６の回転方向を切り替えて厨子扉２６を開閉する開閉スイッチ４２と、厨子扉２６の開動作が完了するとモーター３６の回転を停止させる開側リミットスイッチ４０ａおよび厨子扉２６の閉動作が完了するとモーター３６の回転を停止させる閉側リミットスイッチ４０ｂとを備える扉開閉装置１４、および
開閉スイッチ４２を開側或いは閉側にオンしたときに音楽をデジタル出力し、開側リミットスイッチ４０ａ或いは閉側リミットスイッチ４０ｂが作動すると音楽のデジタル出力を停止する制御部５０と、制御部５０からデジタル出力された音楽をアナログ変換するＤ／Ａコンバータ５２と、Ｄ／Ａコンバータ５２にてアナログ変換された音楽を増幅するアンプ５４と、アンプ５４で増幅された音楽を再生するスピーカー５６とを有する音楽再生装置１６を備える」ことを特徴とする自動開閉扉式仏壇１０である。
【考案の効果】
【００１２】
これらの考案によれば、厨子扉の開閉動作中に音楽が再生されることにより、厨子扉の開閉状態を目だけでなく耳でも把握することが可能となる。したがって、目の不自由な人でも厨子扉の開閉状態を容易に把握することができる。
【００１３】
本考案に係る自動開閉扉式仏壇は、既製の自動開閉扉を有する仏壇に、本考案に係る音楽再生装置を取り付けるだけで簡単に改造することができるため、仏壇を新たに買いなおす必要はなく経済的である。
【図面の簡単な説明】
【００１４】
【図１】この考案に係る自動開閉扉式仏壇を示す図である。
【図２】厨子扉の扉開閉装置を示す図である。
【図３】この考案に係る自動開閉扉式仏壇のブロック図である。
【考案を実施するための形態】
【００１５】
以下、本考案を図示実施例に従って詳述する。本考案に係る自動開閉扉式仏壇１０は、図１に示すように、仏壇１２、扉開閉装置１４および音楽再生装置１６を有する。
【００１６】
仏壇１２は、仏教において一般家庭に常設される礼拝施設であり、その大きさや形状には様々な種類のものがあるが、本実施例では、仏壇本体１８と仏壇台２０とが組み合わされたものを例に挙げて説明する。
【００１７】
仏壇本体１８は、前面が開口した箱状のもので、その開口部には、両開き式の大戸２２が開閉可能に取り付けられている。
【００１８】
仏壇本体１８の内部には、厨子２４が据え付けられている。厨子２４は、仏像、本尊、経典或いは位牌などが安置される前面側が開口した箱状のもので、その開口部には、両開き式の厨子扉２６が開閉可能に取り付けられている。
【００１９】
仏壇本体１８において、厨子２４の上部に設けられた天井部１８ａには、扉開閉装置１４が設置されており、厨子２４の下部に設けられた収容部１８ｂには、音楽再生装置１６が収容されている。収容部１８ｂの前面の左右両側には、後述する音楽再生装置１６のスピーカー５６から流れる音を通過させる通音孔１８ｃが形成されている。
【００２０】
仏壇台２０は、仏壇本体１８の台座となる部分で、線香やろうそく等を収納する引出２０ａや経典を仕舞う棚２０ｂなどが設けられている。引出２０ａの上部には、扉開閉装置１４を作動させるための開閉スイッチ４２（後述）が取り付けられている。
【００２１】
扉開閉装置１４は、厨子扉２６を開閉するためのもので、図２に示すように、ガイドレール３０、ガイドレール３０の左右両側に回転可能に取り付けられた左右一対の歯車３２（３２ａ，３２ｂ）、左右一対の歯車３２ａ，３２ｂ間に懸架された駆動ベルト３４、一方の歯車３２ａに同軸的に取り付けられたモーター３６、駆動ベルト３４に取り付けられた左右一対のアーム３８（３８ａ，３８ｂ）、ガイドレール３０に取り付けられた左右一対のリミットスイッチ４０（４０ａ，４０ｂ）および開閉スイッチ４２を備えている。モーター３６と開閉スイッチ４２との間には、モーター制御回路４４（図３参照）が接続されている。
【００２２】
左右一対のアーム３８の先端には、連結ピン４６が取り付けられている。連結ピン４６は、天井部１８ａの天板に形成されているガイド孔４８に挿入されており、その先端が厨子扉２６の戸先部分上面に取り付けられている。
【００２３】
一方のアーム３８ａの基端部（駆動ベルト３４への取付部分）３８ｃは、厨子扉２６が開いた時には、開側リミットスイッチ４０ａ（図２中、左側のリミットスイッチ４０）と接触し、厨子扉２６が閉じた時には、閉側リミットスイッチ４０ｂ（図２中、右側のリミットスイッチ４０）と接触できるようになっている。各リミットスイッチ４０ａ，４０ｂはモーター３６と電気的に接続されており、アーム３８ａの基端部３８ｃが各リミットスイッチ４０ａ，４０ｂと接触すると、モーター制御回路４４に対して信号が送信され、モーター３６の回転が停止するように制御される。
【００２４】
開閉スイッチ４２は、厨子扉２６の開動作或いは閉動作を行うためのもので、扉開閉装置１４や音楽再生装置１６を通電するための電源ボタン４２ａと、開側と閉側とに任意に切り替え可能な扉開閉ボタン４２ｂとを備えており、この扉開閉ボタン４２ｂを開側或いは閉側にオンすることによりモーター制御回路４４との間が電気的に接続されてモーター３６が順方向或いは逆方向に回転できるようになっている。なお、扉開閉ボタン４２ｂは、通常状態は開側・閉側どちらにも接触しない（通電状態とならない）非接触状態となっており、モーター３６は回転しない。
【００２５】
音楽再生装置１６は、制御部５０、Ｄ／Ａコンバータ５２、アンプ５４およびスピーカー５６を備えており、これらがこの順で直列接続されている（図３参照）。
【００２６】
制御部５０は、厨子扉２６の開閉動作中に所定の音楽を出力する部分で、開閉スイッチ４２の扉開閉ボタン４２ｂおよびリミットスイッチ４０が、フォトカプラを介して電気的に接続されている。
【００２７】
制御部５０には、記憶部５０ａが設けられており、この記憶部５０ａに任意の音楽ファイルが記憶されている。
【００２８】
音楽再生装置１６は、本実施例では、厨子２４の下部に設けられた収容部１８ｂに収容されており、通音孔１８ｃの背部にスピーカー５６が配置されている。
【００２９】
以上のように構成されている自動開閉扉式仏壇１０を使用する際は、まず、開閉スイッチ４２の電源ボタン４２ａをオンにして扉開閉装置１４と音楽再生装置１６を通電状態とする。そして、開閉スイッチ４２の扉開閉ボタン４２ｂを開側にオンすると扉開閉装置１４の開回路側に電流が流れ、アーム３８（３８ａ，３８ｂ）が厨子扉２６を開く方向に移動するよう、モーター制御回路４４がモーター３６を回転させ、これにより厨子扉２６が開き始める。
【００３０】
一方、音楽再生装置１６では、厨子扉２６の開き始め（モーター３６の回転）と同時に制御部５０に記憶されている音楽ファイルがＤ／Ａコンバータ５２によってアナログ変換され、アナログ変換された音楽データがアンプ５４で増幅され、スピーカー５６から音楽が流れる。
【００３１】
やがて厨子扉２６が完全に開くと、一方のアーム３８ａの基端部３８ｃが開側リミットスイッチ４０ａと接触し、音楽再生装置１６の制御部５０に対して電気信号を送信する。
【００３２】
開側リミットスイッチ４０ａからの電気信号を受信した制御部５０は、音楽ファイルの出力を停止し、これにより、スピーカー５６から再生されていた音楽がフェイドアウトして聞こえなくなる。目の不自由な信者は、スピーカー５６から音楽が流れなくなったことを合図に厨子扉２６が完全に開いたことを認識し、日々の勤行を行う。
【００３３】
勤行が済むと、今度は、開閉スイッチ４２の扉開閉ボタン４２ｂを閉側にオンする。すると、扉開閉装置１４の閉回路側に電流が流れ、アーム３８（３８ａ，３８ｂ）が厨子扉２６を閉じる方向に移動するよう、モーター制御回路４４がモーター３６を先ほどとは反対側に回転させ、これにより厨子扉２６が閉じ始める。
【００３４】
一方、音楽再生装置１６では、厨子扉２６の閉じ始め（モーター３６の逆回転）と同時に制御部５０に記憶されている音楽ファイルが上述同様、Ｄ／Ａコンバータ５２によってアナログ変換され、アナログ変換された音楽データがアンプ５４で増幅され、スピーカー５６から音楽が流れる。
【００３５】
やがて厨子扉２６が完全に閉じると、一方のアーム３８ａの基端部３８ｃが閉側リミットスイッチ４０ｂと接触し、音楽再生装置１６の制御部５０に対して電気信号を送信する。
【００３６】
閉側リミットスイッチ４０ｂからの電気信号を受信した制御部５０は、音楽ファイルの出力を停止し、これにより、スピーカー５６から再生されていた音楽がフェイドアウトして聞こえなくなる。目の不自由な信者は、スピーカー５６から音楽が流れなくなったことを合図に厨子扉２６が完全に閉じたことを認識する。
【００３７】
このように、本実施例の自動開閉扉式仏壇１０によれば、厨子扉２６の開閉動作中、スピーカー５６から音楽が流れるので、目の不自由な人でも音楽を頼りに厨子扉２６の開閉状態を確実に把握することができる。
【００３８】
なお、上述実施例では、スピーカー５６から再生される音楽があらかじめ登録されているが、信者が任意の音楽を登録できるようにしてもよい。例えば、図３に示すように、パーソナルコンピュータ６０から制御部５０にアクセスすることで任意の音楽ファイルを制御部５０の記憶部５０ａに登録できるようにしてもよいし、外部記憶装置６２と制御部５０とを接続して外部記憶装置６２に記憶されている音楽ファイルを記憶部５０ａに転送することで音楽ファイルを登録できるようにしてもよい。
【００３９】
また、音楽再生装置１６が組み込まれていない従来型の自動開閉扉式仏壇（扉開閉装置１４だけが組み込まれている仏壇）に音楽再生装置１６（商品名「誓音セイン」）を後付けで取り付けるようにしてもよく、このようにすることで、本考案に係る音楽再生機能付きの自動開閉扉式仏壇１０を簡単かつ経済的に得られるようになる。
【符号の説明】
【００４０】
１０：自動開閉扉式仏壇、１２：仏壇、１４：扉開閉装置、１６：音楽再生装置、１８：仏壇本体、１８ａ：天井部、１８ｂ：収容部、１８ｃ：通音孔、２０：仏壇台、２０ａ：引出、２０ｂ：棚、２２：大戸、２４：厨子、２６：厨子扉、３０：ガイドレール、３２（３２ａ，３２ｂ）：歯車、３４：駆動ベルト、３６：モーター、３８（３８ａ，３８ｂ）：アーム、３８ｃ：（一方のアームの）基端部、４０：リミットスイッチ、４０ａ：開側リミットスイッチ、４０ｂ：閉側リミットスイッチ、４２：開閉スイッチ、４２ａ：電源ボタン、４２ｂ：扉開閉ボタン、４４：モーター制御回路、４６：連結ピン、４８：ガイド孔、５０：制御部、５２：Ｄ／Ａコンバータ、５４：アンプ、５６：スピーカー、６０：パーソナルコンピュータ、６２：外部記憶装置。
【図１】
0003218647.tif 000003
【図２】
0003218647.tif 000004
【図３】
0003218647.tif 000005
【手続補正書】
【提出日】平成30年9月3日(2018.9.3)
【手続補正１】
【補正対象書類名】実用新案登録請求の範囲
【補正対象項目名】全文
【補正方法】変更
【補正の内容】
【実用新案登録請求の範囲】
【請求項１】
その前面に厨子扉が設けられている厨子を備える仏壇本体および
左右一対の歯車と、前記歯車間に懸架された駆動ベルトと、一端側が前記駆動ベルトに取り付けられ、他端側が前記厨子扉の戸先側に取り付けられたアームと、前記一方の歯車を回転させるモーターと、開側或いは閉側にオンすることにより前記モーターの回転方向を切り替えて前記厨子扉を開閉する開閉スイッチと、前記厨子扉の開動作が完了すると前記モーターの回転を停止させる開側リミットスイッチおよび前記厨子扉の閉動作が完了すると前記モーターの回転を停止させる閉側リミットスイッチとを備える扉開閉装置を備える自動開閉扉式仏壇に取り付けて使用される音楽再生装置であって、
前記開閉スイッチを開側或いは閉側にオンしたときに音楽をデジタル出力し、前記開側リミットスイッチ或いは前記閉側リミットスイッチが作動すると音楽のデジタル出力を停止する制御部と、前記制御部からデジタル出力された音楽をアナログ変換するＤ／Ａコンバータと、前記Ｄ／Ａコンバータにてアナログ変換された音楽を増幅するアンプと、前記アンプで増幅された音楽を再生するスピーカーとを有することを特徴とする音楽再生装置。
【請求項２】
その前面に厨子扉が設けられている厨子を備える仏壇本体、
左右一対の歯車と、前記歯車間に懸架された駆動ベルトと、一端側が前記駆動ベルトに取り付けられ、他端側が前記厨子扉の戸先側に取り付けられたアームと、前記一方の歯車を回転させるモーターと、開側或いは閉側にオンすることにより前記モーターの回転方向を切り替えて前記厨子扉を開閉する開閉スイッチと、前記厨子扉の開動作が完了すると前記モーターの回転を停止させる開側リミットスイッチおよび前記厨子扉の閉動作が完了すると前記モーターの回転を停止させる閉側リミットスイッチとを備える扉開閉装置、および
前記開閉スイッチを開側或いは閉側にオンしたときに音楽をデジタル出力し、前記開側リミットスイッチ或いは前記閉側リミットスイッチが作動すると音楽のデジタル出力を停止する制御部と、前記制御部からデジタル出力された音楽をアナログ変換するＤ／Ａコンバータと、前記Ｄ／Ａコンバータにてアナログ変換された音楽を増幅するアンプと、前記アンプで増幅された音楽を再生するスピーカーとを有する音楽再生装置を備えることを特徴とする自動開閉扉式仏壇。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項１に記載した考案は、「その前面に厨子扉２６が設けられている厨子２４を備える仏壇本体１８および
左右一対の歯車３２（３２ａ，３２ｂ）と、歯車３２（３２ａ，３２ｂ）間に懸架された駆動ベルト３４と、一端側が駆動ベルト３４に取り付けられ、他端側が厨子扉２６の戸先側に取り付けられたアーム３８と、一方の歯車３２ａを回転させるモーター３６と、開側或いは閉側にオンすることによりモーター３６の回転方向を切り替えて厨子扉２６を開閉する開閉スイッチ４２と、厨子扉２６の開動作が完了するとモーター３６の回転を停止させる開側リミットスイッチ４０ａおよび厨子扉２６の閉動作が完了するとモーター３６の回転を停止させる閉側リミットスイッチ４０ｂとを備える扉開閉装置１４を備える自動開閉扉式仏壇に取り付けて使用される音楽再生装置１６であって、
開閉スイッチ４２を開側或いは閉側にオンしたときに音楽をデジタル出力し、開側リミットスイッチ４０ａ或いは閉側リミットスイッチ４０ｂが作動すると音楽のデジタル出力を停止する制御部５０と、制御部５０からデジタル出力された音楽をアナログ変換するＤ／Ａコンバータ５２と、Ｄ／Ａコンバータ５２にてアナログ変換された音楽を増幅するアンプ５４と、アンプ５４で増幅された音楽を再生するスピーカー５６とを有する」ことを特徴とする音楽再生装置１６である。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項２に記載した考案は、「その前面に厨子扉２６が設けられている厨子２４を備える仏壇本体１８、
左右一対の歯車３２（３２ａ，３２ｂ）と、歯車３２（３２ａ，３２ｂ）間に懸架された駆動ベルト３４と、一端側が駆動ベルト３４に取り付けられ、他端側が厨子扉２６の戸先側に取り付けられたアーム３８と、一方の歯車３２ａを回転させるモーター３６と、開側或いは閉側にオンすることによりモーター３６の回転方向を切り替えて厨子扉２６を開閉する開閉スイッチ４２と、厨子扉２６の開動作が完了するとモーター３６の回転を停止させる開側リミットスイッチ４０ａおよび厨子扉２６の閉動作が完了するとモーター３６の回転を停止させる閉側リミットスイッチ４０ｂとを備える扉開閉装置１４、および
開閉スイッチ４２を開側或いは閉側にオンしたときに音楽をデジタル出力し、開側リミットスイッチ４０ａ或いは閉側リミットスイッチ４０ｂが作動すると音楽のデジタル出力を停止する制御部５０と、制御部５０からデジタル出力された音楽をアナログ変換するＤ／Ａコンバータ５２と、Ｄ／Ａコンバータ５２にてアナログ変換された音楽を増幅するアンプ５４と、アンプ５４で増幅された音楽を再生するスピーカー５６とを有する音楽再生装置１６を備える」ことを特徴とする自動開閉扉式仏壇１０である。